【事件の表示】
　特願２０１８−１８５３７３号「遊技台」拒絶査定不服審判事件〔令和　２年　４月　９日出願公開、特開２０２０−　５４４６９号〕について、次のとおり審決する。
【結　論】
　本件審判の請求は、成り立たない。
【理　由】
第１　手続の経緯
　本願は、平成３０年９月２８日の出願であって、平成３１年２月２５日付けで拒絶の理由が通知され、同年４月５日に意見書及び手続補正書が提出されたところ、令和１年６月２４日付けで拒絶査定がなされ、これに対し、同年９月２５日に拒絶査定不服審判の請求がなされると同時に手続補正書が提出されたものである。
　
　
第２　令和１年９月２５日提出の手続補正書による補正の却下の決定
　
［補正の却下の決定の結論］
　令和１年９月２５日提出の手続補正書による補正（以下、「本件補正」という。）を却下する。
　
［理由］
１　補正の内容
　本件補正により、平成３１年４月５日提出の手続補正書の特許請求の範囲の請求項１における
「【請求項１】
　演出に関するカウントを行うカウント手段と、
　複数の表示を表示可能な表示手段と、
を備え、
　第一の状態から該第一の状態よりも遊技者の有利度合が低い第二の状態への状態変更が行われる場合がある遊技台であって、
　前記カウント手段は、カウント値が遊技の結果に応じて変化する場合がある手段であり、
　前記状態変更が行われた場合に、前記カウント手段のカウント値は或る値であり、
　前記表示手段は、第一の表示を表示可能な手段であり、
　前記第一の表示には、前記カウント手段におけるカウント値に関する表示内容の表示である場合と、該カウント手段におけるカウント値とは異なる表示内容の表示である場合とがあり、
　前記カウント手段におけるカウント値は、電断復電が生じたことで変化する値ではなく、
　前記表示手段は、前記状態変更が行われた場合に、第一の表示内容で前記第一の表示を表示する手段であり、
　前記表示手段は、電断復電があった場合に、前記第一の表示内容で前記第一の表示を表示する手段であり、
　前記第一の表示内容は、前記カウント手段におけるカウント値が前記或る値であることを表す表示内容であり、
　電断復電が行われた後において遊技の結果が或る結果（以下、「第二の結果」という。）となった場合に、前記カウント手段におけるカウント値とは異なる表示内容の表示である前記第一の表示が表示される場合がある、
ことを特徴とする遊技台。
【請求項２】
　請求項１に記載の遊技台であって、
　前記状態変更が行われた後において遊技の結果が前記第二の結果となった場合に、前記カウント手段におけるカウント値に関する表示内容の表示である前記第一の表示が表示され、
　前記状態変更が行われた後において遊技の結果が前記第二の結果とは異なる或る結果（以下、「第一の結果」という。）となった場合に、前記カウント手段におけるカウント値が変化したことが前記第一の表示によって表され、
　前記電断復電があった後において遊技の結果が前記第一の結果となった場合にも、前記カウント手段におけるカウント値が変化したことが前記第一の表示によって表される、
ことを特徴とする遊技台。
【請求項３】
　請求項２に記載の遊技台であって、
　前記状態変更が行われた後における最初の遊技の結果が前記第二の結果となった前後で、前記第一の表示の表示内容に変化はなく、
　電断復電があった後における最初の遊技の結果が前記第二の結果となった前後でも、前記第一の表示の表示内容に変化はない、
ことを特徴とする遊技台。
【請求項４】
　請求項１乃至３のうちいずれか１項に記載の遊技台であって、
　前記第二の結果は、ハズレに入賞という結果である、
ことを特徴とする遊技台。」
は、令和１年９月２５日に提出された手続補正書の特許請求の範囲の請求項１〜４における、
「【請求項１】
　演出に関するカウントを行うカウント手段と、
　複数の表示を表示可能な表示手段と、
を備え、
　第一の状態から該第一の状態よりも遊技者の有利度合が低い第二の状態への状態変更が行われる場合がある遊技台であって、
　前記カウント手段は、カウント値が遊技の結果に応じて変化する場合がある手段であり、
　前記状態変更が行われた場合に、前記カウント手段のカウント値は或る値であり、
　前記表示手段は、第一の表示を表示可能な手段であり、
　前記第一の表示には、前記カウント手段におけるカウント値に関する表示内容の表示である場合と、該カウント手段におけるカウント値とは異なる表示内容の表示である場合とがあり、
　前記カウント手段におけるカウント値は、電断復電が生じたことで変化する値ではなく、
　前記表示手段は、前記状態変更が行われた場合に、第一の表示内容で前記第一の表示を表示する手段であり、
　前記表示手段は、電断復電があった場合
（以下、「第一の場合」という。）
　前記第一の表示内容は、前記カウント手段におけるカウント値が前記或る値であることを表す表示内容であり、
　電断復電が行われた後において遊技の結果が或る結果（以下、「第二の結果」という。）となった場合に、前記カウント手段におけるカウント値とは異なる表示内容の表示である前記第一の表示が表示される場合があ
り
　
前記表示手段は、前記第一の場合があった後に或る条件が成立した場合に、第二の表示内容で前記第一の表示を表示する手段であり、
　
前記第二の表示内容は、前記カウント手段におけるカウント値を表す表示内容であり、
　
前記第一の場合があってから前記或る条件が成立するまでの間に前記カウント手段のカウント値が変化する場合（以下、「第二の場合」という。）があり、
　
前記第二の場合に、前記第一の表示の表示内容が変化する場合がある、
ことを特徴とする遊技台。
【請求項２】
　請求項１に記載の遊技台であって、
　前記状態変更が行われた後において遊技の結果が前記第二の結果となった場合に、前記カウント手段におけるカウント値に関する表示内容の表示である前記第一の表示が表示され、
　前記状態変更が行われた後において遊技の結果が前記第二の結果とは異なる或る結果（以下、「第一の結果」という。）となった場合に、前記カウント手段におけるカウント値が変化したことが前記第一の表示によって表され、
　前記電断復電があった後において遊技の結果が前記第一の結果となった場合にも、前記カウント手段におけるカウント値が変化したことが前記第一の表示によって表される、
ことを特徴とする遊技台。
【請求項３】
　請求項２に記載の遊技台であって、
　前記状態変更が行われた後における最初の遊技の結果が前記第二の結果となった前後で、前記第一の表示の表示内容に変化はなく、
　電断復電があった後における最初の遊技の結果が前記第二の結果となった前後でも、前記第一の表示の表示内容に変化はない、
ことを特徴とする遊技台。
【請求項４】
　請求項１乃至３のうちいずれか１項に記載の遊技台であって、
　前記第二の結果は、ハズレに入賞という結果である、
ことを特徴とする遊技台。」
に補正がなされた（下線は、補正箇所を明示するために当審で付した。）。
　
　上記補正は、本件補正前の特許請求の範囲の請求項１に記載した発明を特定するために必要な事項である「電断復電があった場合」について「第一の場合」と定義した上で、本件補正前の特許請求の範囲の請求項１に記載した発明を特定するために必要な事項である「表示手段」について、
「前記第一の場合があった後に或る条件が成立した場合に、第二の表示内容で前記第一の表示を表示する手段であり、
　前記第二の表示内容は、前記カウント手段におけるカウント値を表す表示内容であり、
　前記第一の場合があってから前記或る条件が成立するまでの間に前記カウント手段のカウント値が変化する場合（以下、「第二の場合」という。）があり、
　前記第二の場合に、前記第一の表示の表示内容が変化する場合がある」ものに限定したものである。
　
　さらに、本件補正前の特許請求の範囲の請求項１に記載された発明と本件補正後の特許請求の範囲の請求項１に記載される発明の産業上の利用分野及び解決しようとする課題が同一であるので、上記補正は特許法第１７条の２第５項第２号に掲げる特許請求の範囲の減縮を目的とするものに該当する。
　
　そして、本件補正は、本願の願書に最初に添付した明細書の【０２０３】、【０２０４】、【０２１４】、【０３７３】、【０３９６】、【０４０１】、【０４０２】及び【０４９９】、同願書に最初に添付した図面の図２２、図２４及び図３８等に基づいたものであり、新規事項を追加するものではなく、特許法第１７条の２第３項に規定する要件を満たす。
　
２　独立特許要件について
　そこで、本件補正後の特許請求の範囲の請求項１に係る発明は、令和１年９月２５日提出の手続補正書により補正された特許請求の範囲の請求項１に記載された事項により特定されるものと認められるところ、その請求項１に係る発明（以下、「本願補正発明」という。）が特許出願の際独立して特許を受けることができるものであるか（特許法第１７条の２第６項において準用する同法第１２６条第７項の規定に適合するか）について、以下に検討する。
　
（１）　本願補正発明
　本願補正発明は、上記「１　補正の内容」においても示した次のとおりのものである（Ａ〜Ｑは、当審で分説して付与した。）。
　
（本願補正発明）
「【請求項１】
Ａ　演出に関するカウントを行うカウント手段と、
Ｂ　複数の表示を表示可能な表示手段と、
を備え、
Ｃ　第一の状態から該第一の状態よりも遊技者の有利度合が低い第二の状態への状態変更が行われる場合がある遊技台であって、
Ｄ　前記カウント手段は、カウント値が遊技の結果に応じて変化する場合がある手段であり、
Ｅ　前記状態変更が行われた場合に、前記カウント手段のカウント値は或る値であり、
Ｆ　前記表示手段は、第一の表示を表示可能な手段であり、
Ｇ　前記第一の表示には、前記カウント手段におけるカウント値に関する表示内容の表示である場合と、該カウント手段におけるカウント値とは異なる表示内容の表示である場合とがあり、
Ｈ　前記カウント手段におけるカウント値は、電断復電が生じたことで変化する値ではなく、
Ｉ　前記表示手段は、前記状態変更が行われた場合に、第一の表示内容で前記第一の表示を表示する手段であり、
Ｊ　前記表示手段は、電断復電があった場合（以下、「第一の場合」という。）に、前記第一の表示内容で前記第一の表示を表示する手段であり、
Ｋ　前記第一の表示内容は、前記カウント手段におけるカウント値が前記或る値であることを表す表示内容であり、
Ｌ　電断復電が行われた後において遊技の結果が或る結果（以下、「第二の結果」という。）となった場合に、前記カウント手段におけるカウント値とは異なる表示内容の表示である前記第一の表示が表示される場合があり、
Ｍ　前記表示手段は、前記第一の場合があった後に或る条件が成立した場合に、第二の表示内容で前記第一の表示を表示する手段であり、
Ｎ　前記第二の表示内容は、前記カウント手段におけるカウント値を表す表示内容であり、
Ｏ　前記第一の場合があってから前記或る条件が成立するまでの間に前記カウント手段のカウント値が変化する場合（以下、「第二の場合」という。）があり、
Ｐ　前記第二の場合に、前記第一の表示の表示内容が変化する場合がある、
Ｑ　ことを特徴とする遊技台。」
　
（２）　引用文献に記載された事項
　これに対して、原査定の拒絶の理由に引用された特開２０１６−２２０１３号公報（以下、「引用文献」という。）には、「遊技機」の発明に関し、図面と共に以下の事項が記載されている（下線は当審で付した）。
　
ア　「【００１７】
（スロットマシンの外部構成）
　図１に示すように、本実施形態の遊技機である
スロットマシンＳは
前扉２を設ける筐体１
が設けられ
・・・
【００１９】
　
前扉２における表示窓４の上方には
複数種類の動画または静止画像を表示可能な演出表示部５
が設けられ
・・・
【００２１】
（スロットマシンＳの内部構成）
　図２に示すように、
筐体１の内部には
メイン基板１００とサブ基板５００とが設置され
【００２２】
　
筐体１の
下側には
電源ユニット５０とが設けられ
電源ユニット５０には
払出率を調整可能な「設定値」を段階的に変更するための設定変更スイッチ５２ａを内蔵した設定変更ボタン５２
が設けられ
　電源ユニット５０は
電源スイッチ５１が操作されることによって
電源をＯＮからＯＦＦ（ＯＮ／ＯＦＦ）、またはＯＦＦからＯＮ（ＯＦＦ／ＯＮ）への電源切替処理を行う
・・・
【００２５】
　具体的には、図３に示すように、
メイン基板１００は
設定変更手段１３０と
管理情報判定手段１４０と
を含んで構成され
　
イ　「【００３０】
　ここで、本実施形態のスロットマシンＳでは、後述する
設定変更手段１３０により変更可能な設定値として「１〜６」が設けられており
設定値が「１」のときにメダルの払出しの期待値が最も低い
設定値が「６」のときにメダルの払出しの期待値が最も高い
　
ウ　「【００５２】
（設定変更手段１３０）
　設定変更手段１３０は、メインメモリ１９０の設定値記憶手段（図示省略）に記憶されている設定値の変更を制御することによって、上述のように払出率を変化させることができる。
　具体的に、設定変更手段１３０は、図２に示す設定変更ボタン５２の操作を有効とするために、電源ユニット５０によりスロットマシンＳの電源をＯＦＦの状態とし、電源ユニット５０に設けられた解除キーシリンダ５３に設定キー（図示省略）が挿入されて回され、さらにスロットマシンＳの電源をＯＮの状態とすることによって、解除スイッチ５３ａが作動して設定変更スイッチ５２ａの動作を有効とする制御、すなわち、設定変更を有効とする制御を行う。そして、
設定変更手段１３０は、設定変更ボタン５２が押下操作されて、有効となった設定変更スイッチ５２ａからの入力信号を受信する毎に、設定値記憶手段に記憶されている「１〜６」の設定値を、設定変更ボタン５２の近傍に設けられた７セグ表示器
に循環的に変動表示させ
スタートレバー１５の押下操作
に基づいて、選択された値を設定値として確定させ
　ここで、設定変更処理（設定の変更）には、設定変更処理前の設定値と同一の設定値を再設定する処理も含む。
・・・
【００５４】
（管理情報判定手段１４０）
　
管理情報判定手段１４０は
設定変更手段１３０による設定変更処理の有無を判断し
設定変更処理がされたと判断した場合は
設定変更フラグを設定する
【００５５】
　また、管理情報判定手段１４０は、
遊技制御手段１１０が設定変更フラグ
に係るコマンド信号をサブ基板５００へ送信し
・・・
【００５８】
　具体的に、図３に示すように、
サブ基板５００は
演出制御手段５１０と
ポイント管理手段５２０と
サブメモリ５９０とを含んで構成され
　
エ　「【００６４】
　図９に示すように、
演出制御手段５１０は
サブメモリ５９０に設定されたポイントカウンタ
に記憶されたポイントを、遊技者に視認可能とする
演出表示部５の表示領域の下部に表示された表示メータＭ
　
オ　「【００７５】
　具体的には、
ポイント管理手段５２０は
特定役であるチェリーが当選したことを契機として
ポイントカウンタに加算するポイントを決定するためのポイント通常抽選を行う
ポイント通常抽選においては、抽選対象の加算ポイントとして「０Ｐ」、「１Ｐ」、「３Ｐ」または「７Ｐ」が設定され
た第１ポイントテーブル
を参照して抽選を行い
ポイント通常抽選の結果、「０Ｐ」以外の加算ポイント
に当選した場合は、ポイントカウンタに当選したポイント
を加算するポイント加算処理を行う
【００７６】
　また、図１０に示すように、
ポイント管理手段５２０は、遊技制御手段１１０からの設定変更フラグに係るコマンド信号（初期化コマンド信号）を受信したことを契機として、ポイントカウンタのポイントを初期化する（ポイント＝「０Ｐ」とする）初期化処理を行う
　
カ　「【００９０】
　次に、図１３を参照して、ポイントが付与され表示されるまでの一連の処理について説明する。
　図１３に示すように、スロットマシンＳに対して
設定変更があった場合（Ｓ１００でＹＥＳ）
演出制御手段５１０は、
演出表示部５の表示メータＭに「０Ｐ」を表示する（Ｓ１４０）。
遊技が開始され（Ｓ１５０でＹＥＳ）、ポイント管理手段５２０は、ポイント通常抽選を行い、その結果、当選し（Ｓ１６０でＹＥＳ）、その当選が１回目の当選の場合は（Ｓ１６５でＹＥＳ）、当選ポイントをポイントカウンタに加算するポイント加算処理を行い（Ｓ１７０）
ポイント初期抽選及びポイント通常抽選の各当選ポイントの合算ポイント（実際にポイントカウンタに記憶されたポイント）を表示メータＭに表示する（Ｓ１８０）
ポイント通常抽選の当選が
２回目以降の場合は、当選ポイントをポイントカウンタに加算するポイント加算処理を行い（Ｓ１８５）
ポイント通常抽選の当選ポイントを表示メータＭに表示（加算表示）する（Ｓ１９０）
　一方、
設定変更がなく（Ｓ１００でＮＯ）、電源のＯＦＦ／ＯＮの切り替えがあった場合（Ｓ２００でＹＥＳ）、ステップＳ１４０以降の処理
　
キ　「【００９４】
　次に、スロットマシンＳの実施例として具体的な一例を挙げて説明する。
　図１４に示すように、例えば、遊技ホールに設置されているスロットマシンＳ１とスロットマシンＳ２に対して、閉店後に、閉店後処理として、設定変更処理を行う場合と、電源のＯＦＦ／ＯＮのみを行う場合とを比較する。
・・・
【００９６】
　一方、スロットマシンＳ２において、（Ａ）
閉店時、
演出表示部５の表示メータＭには「３Ｐ」が表示され、サブメモリ５９０のポイントカウンタにはポイントが「３Ｐ」記憶されていた場合、
閉店後処理として、電源切替処理（
ＯＮ→ＯＦＦ→ＯＮ）を行ったことを契機に、表示メータＭには「０Ｐ」が表示され、ポイントカウンタのポイントは初期化されず「３Ｐ」を維持する
　続いて、スロットマシンＳ２において、（Ｐ）
遊技が開始され、
ポイント通常抽選に当選した場合
当選ポイント（例えば「３Ｐ」）をポイントカウンタに加算するとともに（その結果、ポイントカウンタのポイントが「６Ｐ」となる）
ポイントカウンタに記憶されているポイント「６Ｐ」を表示メータＭに表示する
　
【図１４】
　
　そして、上記記載事項（ア）〜（キ）及び図１４を総合すると、引用文献には、次の発明（以下、「引用発明」という。）が記載されていると認められる（ａ〜ｑは、本願補正発明のＡ〜Ｑに対応させて当審にて付与した。また、丸括弧内に示された段落番号は、引用文献における引用箇所を示す。）。
　
（引用発明）
「ａ　前扉２を設ける筐体１が設けられ（【００１７】）、
　筐体１の内部にはメイン基板１００とサブ基板５００が設置され（【００２１】）、
　サブ基板５００は、演出制御手段５１０とサブメモリ５９０とを含んで構成され（【００５８】）、
　演出制御手段５１０は、サブメモリ５９０に設定されたポイントカウンタに記憶されたポイントを、遊技者に視認可能とし（【００６４】）、
　
ｂ　前扉２における表示窓４の上方には、複数種類の動画または静止画像を表示可能な演出表示部５が設けられ（【００１９】）、
　
ｃ　筐体１の下側には電源ユニット５０が設けられ、電源ユニット５０には、払出率を調整可能な「設定値」を段階的に変更するための設定変更スイッチ５２ａを内蔵した設定変更ボタン５２が設けられ（【００２２】）、
　メイン基板１００は、設定変更手段１３０を含んで構成され（【００２５】）、
　設定変更手段１３０により変更可能な設定値として「１〜６」が設けられており、設定値が「１」のときにメダルの払出しの期待値が最も低く、設定値が「６」のときにメダルの払出しの期待値が最も高く（【００３０】）、
　設定変更手段１３０は、設定変更ボタン５２が押下操作されて、有効となった設定変更スイッチ５２ａからの入力信号を受信する毎に、設定値記憶手段に記憶されている「１〜６」の設定値を、設定変更ボタン５２の近傍に設けられた７セグ表示器に循環的に変動表示させ、スタートレバー１５の押下操作に基づいて、選択された値を設定値として確定させ（【００５２】）、
　
ｄｌ　サブ基板５００は、ポイント管理手段５２０を含んで構成され（【００５８】）、
　ポイント管理手段５２０は、特定役であるチェリーが当選したことを契機として、ポイントカウンタに加算するポイントを決定するためのポイント通常抽選を行い、ポイント通常抽選においては、抽選対象の加算ポイントとして「０Ｐ」、「１Ｐ」、「３Ｐ」または「７Ｐ」が設定された第１ポイントテーブルを参照して抽選を行い、ポイント通常抽選の結果、「０Ｐ」以外の加算ポイントに当選した場合は、ポイントカウンタに当選したポイントを加算するポイント加算処理を行い（【００７５】）、
　
ｅｋ　メイン基板１００は、管理情報判定手段１４０を含んで構成され（【００２５】）、
　管理情報判定手段１４０は、設定変更手段１３０による設定変更処理の有無を判断し、設定変更処理がされたと判断した場合は、設定変更フラグを設定し（【００５４】）、
　遊技制御手段１１０は設定変更フラグに係るコマンド信号をサブ基板５００へ送信し（【００５５】）、
　ポイント管理手段５２０は、遊技制御手段１１０からの設定変更フラグに係るコマンド信号（初期化コマンド信号）を受信したことを契機として、ポイントカウンタのポイントを初期化する（ポイント＝「０Ｐ」とする）初期化処理を行い（【００７６】）、
　
ｆ　演出表示部５の表示領域の下部には表示メータＭを表示し（【００６４】）、
　
ｇｌ　閉店時、演出表示部５の表示メータＭには「３Ｐ」が表示され、サブメモリ５９０のポイントカウンタにはポイントが「３Ｐ」記憶されていた場合、閉店後処理として、電源切替処理（ＯＮ→ＯＦＦ→ＯＮ）を行ったことを契機に、表示メータＭには「０Ｐ」が表示され、ポイントカウンタのポイントは初期化されず「３Ｐ」を維持し、
　遊技が開始され、ポイント通常抽選に当選した場合、当選ポイント（例えば「３Ｐ」）をポイントカウンタに加算するとともに（その結果、ポイントカウンタのポイントが「６Ｐ」となる）、ポイントカウンタに記憶されているポイント「６Ｐ」を表示メータＭに表示し（【００９６】）、
　
ｈ　電源スイッチ５１が操作されることによって、電源をＯＮからＯＦＦ（ＯＮ／ＯＦＦ）、またはＯＦＦからＯＮ（ＯＦＦ／ＯＮ）への電源切替処理を行い（【００２２】）、
　閉店後処理として、電源切替処理（ＯＮ→ＯＦＦ→ＯＮ）を行ったことを契機にポイントカウンタのポイントは初期化されず維持し（【００９６】）、
　
ｉｋ　設定変更があった場合（Ｓ１００でＹＥＳ）、演出制御手段５１０は、演出表示部５の表示メータＭに「０Ｐ」を表示し（Ｓ１４０）（【００９０】）、
　
ｊｐ　設定変更がなく（Ｓ１００でＮＯ）、電源のＯＦＦ／ＯＮの切り替えがあった場合（Ｓ２００でＹＥＳ）、ステップＳ１４０以降の処理を行い、演出制御手段５１０は、演出表示部５の表示メータＭに「０Ｐ」を表示し（Ｓ１４０）（【００９０】）、
　
ｍｎｏｐ　電源のＯＦＦ／ＯＮの切り替えがあった場合（Ｓ２００でＹＥＳ）、遊技が開始され（Ｓ１５０でＹＥＳ）、ポイント管理手段５２０は、ポイント通常抽選を行い、その結果、当選し（Ｓ１６０でＹＥＳ）、その当選が１回目の当選の場合（Ｓ１６５でＹＥＳ）は、当選ポイントをポイントカウンタに加算するポイント加算処理を行い（Ｓ１７０）、ポイント初期抽選及びポイント通常抽選の各当選ポイントの合算ポイント（実際にポイントカウンタに記憶されたポイント）を演出表示部５の表示メータＭに表示（Ｓ１８０）し、
　ポイント通常抽選の当選が２回目以降の場合は、当選ポイントをポイントカウンタに加算するポイント加算処理を行い（Ｓ１８５）、ポイント通常抽選の当選ポイントを表示メータＭに表示（加算表示）する（Ｓ１９０）（【００９０】）、
　
ｑ　スロットマシンＳ（【００１７】）。」
　
（３）　対比
　本願補正発明と引用発明とを、分説に従い対比する（対比の見出しとしての（ａ）〜（ｑ）は、引用発明の分説構成と対応させた。）。
　
（ａ）　引用発明の構成ａの「ポイントカウンタ」は、「カウント手段」に相当する。そして、引用発明の構成ａの「ポイントカウンタ」（カウント手段）は、「記憶されたポイントを、遊技者に視認可能」とするものであるから、本願補正発明の「演出に関するカウントを行うカウント手段」に相当する。
　また、引用発明の構成ａの「ポイントカウンタ」（カウント手段）は、「サブ基板５００」が「含んで構成」するものであり、当該「サブ基板５００」は「筐体１の内部に」「設置され」るものであり、当該「筐体１」は「スロットマシンＳ」（遊技台。以下の（ｑ）にて対比する。）に「設けられ」るのだから、引用発明の構成ａの「ポイントカウンタ」（カウント手段）は、「スロットマシンＳ」（遊技台）が「備え」るものである。
　よって、引用発明における構成ａは、本願補正発明における構成Ａに相当する。
　
（ｂ）　引用発明の構成ｂの「演出表示部５」は、本願補正発明の「表示手段」に相当する。そして、引用発明の構成ｂの「演出表示部５」（表示手段）は、「複数種類の動画または静止画像を表示可能な」ものであるから、本願補正発明の「複数の表示を表示可能な表示手段」に相当するものである。
　また、引用発明の構成ｂの「演出表示部５」（表示手段）は、「前扉２における表示窓４の上方に」「設けられ」るものであり、当該「前扉２」は「スロットマシンＳ」（遊技機）に「設けられ」るのだから、引用発明の構成ｂの「演出表示部５」（表示手段）は、「スロットマシンＳ」（遊技台）が「備え」るものである。
　してみると、引用発明の構成ｂの「前扉２における表示窓４の上方には、複数種類の動画または静止画像を表示可能な演出表示部５が設けられ」ることは、本願補正発明の構成Ｂの「複数の表示を表示可能な表示手段と、を備え」ることに相当する。
　よって、引用発明における構成ｂは、本願補正発明における構成Ｂに相当する。
　
（ｃ）　まず、本願補正発明の構成Ｃの「第一の状態から該第一の状態よりも遊技者の有利度合が低い第二の状態への状態変更」について、本願の明細書を参酌する。すると、明細書の【０１４０】には、
「図１に示すスロットマシン１００では、前面扉１０２を開けると、不図示の設定変更スイッチを操作可能になる。この
設定変更スイッチは、
遊技者の有利度合いに関する設定を、設定１〜設定６の６段階で変更する
と記載され、同【０１４３】には
「・・・設定変更時に
設定された設定値を設定変更後の設定値とし
と記載され、さらに同【０４６５】には、
「・・・第一の状態［・・・］から該第一の状態よりも遊技者の有利度合が低い第二の状態［・・・］への
状態変更
例えば、設定変更による状態変更や
と記載されている（下線は当審で付した）。
　そうすると、本願補正発明の「第一の状態から該第一の状態よりも遊技者の有利度合が低い第二の状態への状態変更」とは、「ＣＺ状態から非ＡＴ状態に演出状態が移行」することに限定して解されるものではなく、
「遊技者の有利度合いに関する設定を、設定１〜設定６の６段階で変更する」ことにおいて、特定の設定値（第一の状態）から当該特定の設定値（第一の状態）よりも遊技者の有利度合が低い設定値（第二の状態）へ変更することも含まれるものと解するのが相当
　
　上記理解に沿って、本願補正発明と引用発明を対比すると、引用発明の構成ｃの「メダルの払出しの期待値が最も高」い「設定値が「６」のとき」は、本願補正発明の構成Ｃの「第一の状態」に相当するとともに、引用発明の構成ｃの「メダルの払出しの期待値が最も低」い「設定値が「１」のとき」は、本願補正発明の構成Ｃの「該第一の状態よりも遊技者の有利度合が低い第二の状態」に相当する。
　そして、引用発明の構成ｃでは、「設定変更ボタン５２が押下操作され」ると「「１〜６」の設定値を、設定変更ボタン５２の近傍に設けられた７セグ表示器に
循環的に変動表示させ
選択された値を設定値として確定
　してみると、引用発明の構成ｃの「設定変更ボタン５２が押下操作されて、有効となった設定変更スイッチ５２ａからの入力信号を受信する毎に、設定値記憶手段に記憶されている「１〜６」の設定値を、設定変更ボタン５２の近傍に設けられた７セグ表示器に循環的に変動表示させ、スタートレバー１５の押下操作に基づいて、選択された値を設定値として確定させ」ることは、本願補正発明の構成Ｃの「第一の状態から該第一の状態よりも遊技者の有利度合が低い第二の状態への状態変更が行われる場合がある」ことに相当する。
　よって、引用発明における構成ｃは、本願補正発明における構成Ｃに相当する。
　
（ｄ）　引用発明の構成ｄｌの「特定役であるチェリーが当選」することは、本願補正発明の構成Ｄの「遊技の結果」に相当する。
　そして、引用発明の「ポイントカウンタ」（カウント手段）は、「特定役であるチェリーが
当選したことを契機として
通常抽選を行い
結果、「０Ｐ」以外の加算ポイントに当選した場合
ポイントを加算する
・「
特定役
が当選」しなければ
加算するポイント」は必ず「０Ｐ」
・「特定役であるチェリーが
当選」すれば
「０Ｐ」以外の加算ポイント」となる場合
といえる。してみると、引用発明の構成ｄｌの「ポイントカウンタ」（カウント手段）は、「特定役であるチェリーが当選」するか否かによって（遊技の結果に応じて）、カウント値が変化する場合があるといえる。
　したがって、引用発明における構成ｄｌの
「特定役であるチェリーが当選したことを契機として、ポイントカウンタに加算するポイントを決定するためのポイント通常抽選を行い、ポイント通常抽選においては、抽選対象の加算ポイントとして「０Ｐ」、「１Ｐ」、「３Ｐ」または「７Ｐ」が設定された第１ポイントテーブルを参照して抽選を行い、ポイント通常抽選の結果、「０Ｐ」以外の加算ポイントに当選した場合は、ポイントカウンタに当選したポイントを加算するポイント加算処理を行」うことは、本願補正発明の構成Ｄの「カウント値が遊技の結果に応じて変化する場合がある」ことに相当する。
　よって、引用発明における構成ｄｌは、本願補正発明における構成Ｄに相当する。
　
（ｅ）　引用発明の構成ｅｋの「設定変更手段１３０による設定変更処理の有無を判断し、設定変更処理がされたと判断した場合」、「ポイントカウンタのポイント」、「０Ｐ」は、それぞれ本願補正発明の構成Ｅの「状態変更が行われた場合」、「カウント手段のカウント値」、「或る値」に相当する。
　してみると、引用発明の構成ｅｋの「遊技制御手段１１０からの設定変更フラグに係るコマンド信号（初期化コマンド信号）を受信したことを契機として、ポイントカウンタのポイントを初期化する（ポイント＝「０Ｐ」とする）」ことは、本願補正発明の構成Ｅの「前記状態変更が行われた場合に、前記カウント手段のカウント値は或る値であ」ることに相当する。
　よって、引用発明における構成ｅｋは、本願補正発明における構成Ｅに相当する。
　
（ｆ）　引用発明の構成ｆの「表示メータＭ」は本願補正発明の構成Ｆの「第一の表示」に相当し、引用発明の構成ｆの「表示領域の下部には表示メータＭを表示」する「演出表示部５」（表示手段）は本願補正発明の構成Ｆの「第一の表示を表示可能な手段」に相当する。
　よって、引用発明における構成ｆは、本願補正発明における構成Ｆに相当する。
　
（ｇ）　引用発明の構成ｇｌの「当選ポイント（例えば「３Ｐ」）をポイントカウンタに加算するとともに（その結果、
ポイントカウンタのポイントが「６Ｐ」
「６Ｐ」を表示メータＭに表示
　また、引用発明の構成ｇｌの「
表示メータＭには「０Ｐ」が表示
ポイントカウンタのポイントは
「３Ｐ」
　してみると、引用発明の構成ｇｌの「遊技が開始され、ポイント通常抽選に当選した場合、当選ポイント（例えば「３Ｐ」）をポイントカウンタに加算するとともに（その結果、ポイントカウンタのポイントが「６Ｐ」となる）、ポイントカウンタに記憶されているポイント「６Ｐ」を表示メータＭに表示し」「電源切替処理（ＯＮ→ＯＦＦ→ＯＮ）を行ったことを契機に、表示メータＭには「０Ｐ」が表示され、ポイントカウンタのポイントは初期化されず「３Ｐ」を維持」することは、本願補正発明の構成Ｇの「前記第一の表示には、前記カウント手段におけるカウント値に関する表示内容の表示である場合と、該カウント手段におけるカウント値とは異なる表示内容の表示である場合とがあ」ることに相当する。
　よって、引用発明における構成ｇｌは、本願補正発明における構成Ｇに相当する。
　
（ｈ）　引用発明の構成ｈの「電源切替処理（ＯＮ→ＯＦＦ→ＯＮ）を行ったこと」は本願補正発明の構成Ｈの「電断復電が生じたこと」に相当し、引用発明の構成ｈの「電源切替処理（ＯＮ→ＯＦＦ→ＯＮ）を行ったことを契機にポイントカウンタのポイントは初期化されず維持」することは、本願補正発明の構成Ｈの「カウント手段におけるカウント値は、電断復電が生じたことで変化する値ではな」いことに相当する。
　よって、引用発明における構成ｈは、本願補正発明における構成Ｈに相当する。
　
（ｉ）　引用発明の構成ｉｋの「設定変更があった場合」、「０Ｐ」は、それぞれ本願補正発明の構成Ｉの「状態変更が行われた場合」、「第一の表示内容」に相当するとともに、引用発明の構成ｉｋの「表示メータＭに「０Ｐ」を表示」することは、本願補正発明の構成Ｉの「第一の表示内容で前記第一の表示を表示する」ことに相当する。
　してみると、引用発明の構成ｉｋの「設定変更があった場合（Ｓ１００でＹＥＳ）、」「表示メータＭに「０Ｐ」を表示」する「演出表示部５」は、本願補正発明の構成Ｉの「前記状態変更が行われた場合に、第一の表示内容で前記第一の表示を表示する手段であ」る「前記表示手段」に相当する。
　よって、引用発明における構成ｉｋは、本願補正発明における構成Ｉに相当する。
　
（ｊ）　そもそも電源のＯＦＦ／ＯＮの切り替え（復電）をするためには、その前に電源をＯＦＦ（電断）にしておく必要があることは当然なのだから、引用発明の構成ｊｐの「設定変更がなく（Ｓ１００でＮＯ）、電源のＯＦＦ／ＯＮの切り替えがあった場合（Ｓ２００でＹＥＳ）」は、本願補正発明の「電断復電があった場合」（「第一の場合」）に相当する。
　また、引用発明の構成ｊｐの「表示メータＭに「０Ｐ」を表示」することは本願補正発明の構成Ｊの「前記第一の表示内容で前記第一の表示を表示する」ことに相当する。
　してみると、引用発明の構成ｊｐの「設定変更がなく（Ｓ１００でＮＯ）、電源のＯＦＦ／ＯＮの切り替えがあった場合（Ｓ２００でＹＥＳ）、」「表示メータＭに「０Ｐ」を表示」する「演出表示部５」は、本願補正発明の構成Ｊの「電断復電があった場合に、前記第一の表示内容で前記第一の表示を表示する手段であ」る「前記表示手段」に相当する。
　よって、引用発明における構成ｊｐは、本願補正発明における構成Ｊに相当する。
　
（ｋ）　上記（ｉ）によれば、引用発明の構成ｉｋの「０Ｐ」は本願補正発明の「第一の表示内容」に相当する。
　また、上記（ｅ）によれば、引用発明の構成ｅｋの「０Ｐ」は本願補正発明の「或る値」に相当する。
　そうすると、引用発明の構成ｅｋ、ｉｋの両者の「０Ｐ」は、本願補正発明の構成Ｋの「前記第一の表示内容」に相当し、かつ「前記カウント手段におけるカウント値が前記或る値であること」に相当するから、引用発明の構成ｅｋ、ｉｋの両者は、本願補正発明の構成Ｋの「前記第一の表示内容は、前記カウント手段におけるカウント値が前記或る値であることを表す表示内容であ」るとの構成を有する。
　してみると、引用発明の
「遊技制御手段１１０からの設定変更フラグに係るコマンド信号（初期化コマンド信号）を受信したことを契機として、ポイントカウンタのポイントを初期化（ポイント＝「０Ｐ」とする）」（構成ｅｋ）し、
「設定変更があった場合（Ｓ１００でＹＥＳ）、」「演出表示部５の表示メータＭに「０Ｐ」を表示」（構成ｉｋ）することは、本願補正発明の構成Ｋの「前記第一の表示内容は、前記カウント手段におけるカウント値が前記或る値であることを表す表示内容であ」ることに相当する。
　よって、引用発明における構成ｅｋ、ｉｋは、本願補正発明における構成Ｋに相当する。
　
（ｌ）　引用発明の構成ｇｌの「閉店後処理として、電源切替処理（ＯＮ→ＯＦＦ→ＯＮ）を行った」ことは、本願補正発明の「電断復電が行われた」ことに相当する。
　また、引用発明の
構成ｇｌ
遊技が開始され、ポイント通常抽選に当選した場合
ポイントカウンタに記憶されているポイント
を表示メータＭに表示
構成ｄｌ
ポイント通常抽選」は「特定役であるチェリーが当選したことを契機として」行われる
　そうすると、引用発明の構成ｄｌ、ｇｌによれば、
「閉店時、演出表示部５の表示メータＭには「３Ｐ」が表示され、サブメモリ５９０のポイントカウンタにはポイントが「３Ｐ」記憶（当審注：当該「「３Ｐ」記憶」は「「３Ｐ」が記憶」の明らかな誤記である）されていた場合」には、「遊技が開始され、ポイント通常抽選に当選した場合、当選ポイント（例えば「３Ｐ」）をポイントカウンタに加算するとともに（その結果、ポイントカウンタのポイントが「６Ｐ」となる）、ポイントカウンタに記憶されているポイント「６Ｐ」を表示メータＭに表示」することは、「特定役であるチェリーが当選」しないことにはなされないことであって、
「遊技が開始され」ても「特定役であるチェリーが当選」しない場合には、「表示メータＭには「０Ｐ」が表示され、ポイントカウンタのポイントは初期化されず「３Ｐ」を維持
　してみると、引用発明の構成ｄｌにおいて「特定役である
チェリーが当選」しないこと
チェリーが当選」しないこと
ポイントカウンタに記憶されているポイント」「を表示メータＭに表示」することなく、「表示メータＭには「０Ｐ」が表示され、ポイントカウンタのポイントは初期化されず「３Ｐ」を維持
「特定役であるチェリーが当選したことを契機として、ポイントカウンタに加算するポイントを決定するためのポイント通常抽選を行い」（構成ｄｌ）、
「閉店後処理として、電源切替処理（ＯＮ→ＯＦＦ→ＯＮ）を行ったことを契機に、表示メータＭには「０Ｐ」が表示され、ポイントカウンタのポイントは初期化されず「３Ｐ」を維持し、
　遊技が開始され、ポイント通常抽選に当選した場合、当選ポイント（例えば「３Ｐ」）をポイントカウンタに加算するとともに（その結果、ポイントカウンタのポイントが「６Ｐ」となる）、ポイントカウンタに記憶されているポイント「６Ｐ」を表示メータＭに表示」（構成ｇｌ）することは、本願補正発明の構成Ｌの「電断復電が行われた後において遊技の結果が或る結果（「第二の結果」）となった場合に、前記カウント手段におけるカウント値とは異なる表示内容の表示である前記第一の表示が表示される場合があ」ることに相当する。
　よって、引用発明における構成ｄｌ、ｇｌは、本願補正発明における構成Ｌに相当する。
　
（ｍ）　まず、本願補正発明の「前記第一の場合があった後に或る条件が成立した場合」について、明細書を参酌する。すると、明細書の【０３９５】には、
「
図３８
電断復電した後
と記載され、【０３９７】には、
「この例では、真対決ポイント数が１３８ポイントに設定されている。このため、
次ゲームでハズレの図柄組合せが停止表示
と記載され、【０３９９】には、
「対決前兆状態に移行してから最初のゲームでも
ハズレの図柄組合せが停止表示
と記載され、【０４０１】には、
　対決状態に移行してから
最初のゲームでもハズレの図柄組合せが停止表示
やがて、対決状態に移行してから２回目のゲームが開始され、リプレイ図柄である再遊技役２の図柄組合せ（疑似ＢＢ図柄）が停止表示
と記載されている（下線は当審で付した）。
　そうすると、本願補正発明の「前記第一の場合が
あった後」とは
直後の遊技などと限定して解する理由はなく、複数回のゲームを介した後であっても構わない
　
　上記理解をふまえて本願補正発明と引用発明を対比すると、引用発明の構成ｍｎｏｐの「ポイント通常抽選の当選が２回目以降」であることは本願補正発明の構成Ｍの「或る条件が成立」することに相当し、引用発明の構成ｍｎｏｐの「電源のＯＦＦ／ＯＮの切り替えがあった場合（Ｓ２００でＹＥＳ）、遊技が開始され（Ｓ１５０でＹＥＳ）」「ポイント通常抽選の当選が２回目以降の場合」は、電源のＯＦＦ／ＯＮの切り替えがあってさらに少なくとも２回以上の遊技を介した後となるが、上記理解に沿えば本願補正発明の「前記第一の場合があった後に或る条件が成立した場合」に相当する。
　また、引用発明の構成ｍｎｏｐの「ポイント通常抽選の当選ポイント」は本願補正発明の「第二の表示内容」に相当するとともに、同構成ｍｎｏｐの「ポイント通常抽選の当選ポイントを表示メータＭに表示（加算表示）」することは、「第二の表示内容で前記第一の表示を表示する」ことに相当する。
　してみると、引用発明の構成ｍｎｏｐの「電源のＯＦＦ／ＯＮの切り替えがあった場合（Ｓ２００でＹＥＳ）、遊技が開始され（Ｓ１５０でＹＥＳ）」「ポイント通常抽選の当選が２回目以降の場合」「ポイント通常抽選の当選ポイントを表示メータＭに表示（加算表示）」する「演出表示部５」は、本願補正発明の構成Ｍの「前記第一の場合があった後に或る条件が成立した場合に、第二の表示内容で前記第一の表示を表示する手段であ」る「前記表示手段」に相当するものである。
　よって、引用発明における構成ｍｎｏｐは、本願補正発明における構成Ｍに相当する。
　
（ｎ）　引用発明の構成ｍｎｏｐにおいては、「当選ポイントをポイントカウンタに加算するポイント加算処理を行い（Ｓ１８５）、ポイント通常抽選の当選ポイントを表示メータＭに表示（加算表示）し」ているのだから、「ポイント通常抽選の当選ポイント」（第２の表示内容）は、「加算処理」した「ポイントカウンタ」（カウント手段）の値と一致するものであって、「ポイントカウンタ」（カウント手段）におけるカウント値を表す表示内容である。
　してみると、引用発明の構成ｍｎｏｐの「ポイント通常抽選の当選が２回目以降の場合は、当選ポイントをポイントカウンタに加算するポイント加算処理を行い（Ｓ１８５）、ポイント通常抽選の当選ポイントを表示メータＭに表示（加算表示）する（Ｓ１９０）」際の表示は、本願補正発明の構成Ｎの「前記第二の表示内容は、前記カウント手段におけるカウント値を表す表示内容であ」ることに相当するものである。
　よって、引用発明における構成ｍｎｏｐは、本願補正発明における構成Ｎに相当する。
　
（ｏ）　引用発明の「ポイント通常抽選の当選が２回目以降」であることが本願補正発明の「或る条件が成立」することに相当することが上記（ｍ）にて説示のとおりであるから、引用発明の構成ｍｎｏｐの「電源のＯＦＦ／ＯＮの切り替えがあった場合（Ｓ２００でＹＥＳ）」「当選が１回目の当選の場合（Ｓ１６５でＹＥＳ）」は本願補正発明の構成Ｏの「前記第一の場合があってから前記或る条件が成立するまでの間」の「場合」に相当する。
　また、引用発明の構成ｍｎｏｐの「当選ポイントをポイントカウンタに加算するポイント加算処理を行（Ｓ１７０）」うことは、本願補正発明の構成Ｏの「前記カウント手段のカウント値が変化する場合（「第二の場合」）」に相当する。
　してみると、引用発明の構成ｍｎｏｐの「電源のＯＦＦ／ＯＮの切り替えがあった場合（Ｓ２００でＹＥＳ）、」「その当選が１回目の当選の場合（Ｓ１６５でＹＥＳ）は、」「当選ポイントをポイントカウンタに加算するポイント加算処理を行」うことは、本願補正発明の構成Ｏの「前記第一の場合があってから前記或る条件が成立するまでの間に前記カウント手段のカウント値が変化する場合（「第二の場合」）があ」ることに相当する。
　よって、引用発明における構成ｍｎｏｐは、本願補正発明における構成Ｏに相当する。
　
（ｐ）　引用発明の構成ｊｐによれば、「
設定変更がなく（Ｓ１００でＮＯ）、電源のＯＦＦ／ＯＮの切り替えがあった場合（Ｓ２００でＹＥＳ）」には「演出表示部５の表示メータＭに「０Ｐ」を表示（Ｓ１４０）」するのだから、
当選ポイントをポイントカウンタに加算するポイント加算処理を行い
ポイント初期抽選及びポイント通常抽選の各当選ポイントの合算ポイント（実際にポイントカウンタに記憶されたポイント）を演出表示部５の表示メータＭに表示」することは、表示メータＭを「０Ｐ」から変化させることであって、本願補正発明の構成Ｐの「
　してみると、引用発明の
「設定変更がなく（Ｓ１００でＮＯ）、電源のＯＦＦ／ＯＮの切り替えがあった場合（Ｓ２００でＹＥＳ）、」「演出表示部５の表示メータＭに「０Ｐ」を表示し（Ｓ１４０）」（構成ｊｐ）、
「電源のＯＦＦ／ＯＮの切り替えがあった場合（Ｓ２００でＹＥＳ）、遊技が開始され（Ｓ１５０でＹＥＳ）、」「ポイント通常抽選を行い、その結果、当選し（Ｓ１６０でＹＥＳ）、その当選が１回目の当選の場合（Ｓ１６５でＹＥＳ）は、当選ポイントをポイントカウンタに加算するポイント加算処理を行い（Ｓ１７０）、ポイント初期抽選及びポイント通常抽選の各当選ポイントの合算ポイント（実際にポイントカウンタに記憶されたポイント）を演出表示部５の表示メータＭに表示（Ｓ１８０）」（構成ｍｎｏｐ）することは、本願補正発明の構成Ｐの「前記第二の場合に、前記第一の表示の表示内容が変化する場合」ことに相当する。
　よって、引用発明における構成ｊｐ、ｍｎｏｐは、本願補正発明における構成Ｐに相当する。
　
（ｑ）　引用発明の構成ｑの「スロットマシンＳ」は、本願補正発明の構成Ｑの「遊技台」に相当する。
　よって、引用発明における構成ｑは、本願補正発明における構成Ｑに相当する。
　
（４）　当審の判断
　してみると、上記「（３）　対比」（ａ）〜（ｑ）によれば、本願補正発明と引用発明との間に差異はなく、本願補正発明は引用発明である。また、本願補正発明は当業者が引用発明に基づいて容易に発明をすることができたものである。
　
（５）　審判請求人の主張について
　審判請求人は、審判請求書の「３．本願発明が特許されるべき理由」の「（３）拒絶理由について」の項において、
「引用文献１には、電断復電があった後に、特定役であるチェリーに当選して１回目のポイント通常抽選が行われた場合に、ポイントカウンタに記憶されているポイントを表示メータＭの値として表示することは開示されています。
　しかしながら、審査官殿が拒絶理由通知でご認定されたように、引用文献１に記載された遊技台では、電断復電があった後であってポイント通常抽選が１回目に当選する前の遊技において、内部抽選で特定役が当選しない場合（「第二の結果」に相当）には、表示メータＭの表示とポイントカウンタのポイントの値が異なる状態が維持されたままとなります（［図１４］（Ｃ）のように、表示メータＭには「０Ｐ」が表示されたままであり、かつポイントカウンタのポイントは「３Ｐ」を維持したままである）。　
　一方、補正後の請求項１に係る発明では、上述のごとく、「前記第一の場合があってから前記或る条件が成立するまでの間に前記カウント手段のカウント値が変化する場合（以下、「第二の場合」という。）があり、　前記第二の場合に、前記第一の表示の表示内容が変化する場合がある、」といった構成（以下、特徴的構成といいます）の限定を行いました。この特徴的構成については、引用文献１に開示も示唆もありません。」
と主張する。
　
　しかし、引用発明が本願補正発明における審判請求人の主張する構成を備えることは上記「（３）　対比」にて説示のとおりであり、審判請求人の上記主張は採用することができない。
　
（６）　まとめ
　以上のように、本願補正発明は引用発明であるから特許法第２９条第１項第３号に該当し、特許出願の際独立して特許を受けることができない。また、本願補正発明は当業者が引用発明に基づいて容易に発明をすることができたものであるから、特許法第２９条第２項の規定により、特許出願の際独立して特許を受けることができない。
　
３　補正の却下の決定についてのむすび　
　上記「２　独立特許要件について」より、本件補正は、特許法第１７条の２第６項において準用する同法第１２６条第７項の規定に違反するので、同法第１５９条第１項において読み替えて準用する同法第５３条第１項の規定により却下すべきものである。　
　
　
第３　本願発明について　
１　本願発明
　本件補正は上記のとおり却下されたので、本願の特許請求の範囲の請求項１−４に係る発明のうち、請求項１に係る発明（以下、「本願発明」という。）は、平成３１年４月５日提出の手続補正書の特許請求の範囲の請求項１に記載された次のとおりのものである（Ａ〜Ｑは本願発明を分説するため当審で付した）。
　
（本願発明）
「【請求項１】
Ａ　演出に関するカウントを行うカウント手段と、
Ｂ　複数の表示を表示可能な表示手段と、
を備え、
Ｃ　第一の状態から該第一の状態よりも遊技者の有利度合が低い第二の状態への状態変更が行われる場合がある遊技台であって、
Ｄ　前記カウント手段は、カウント値が遊技の結果に応じて変化する場合がある手段であり、
Ｅ　前記状態変更が行われた場合に、前記カウント手段のカウント値は或る値であり、
Ｆ　前記表示手段は、第一の表示を表示可能な手段であり、
Ｇ　前記第一の表示には、前記カウント手段におけるカウント値に関する表示内容の表示である場合と、該カウント手段におけるカウント値とは異なる表示内容の表示である場合とがあり、
Ｈ　前記カウント手段におけるカウント値は、電断復電が生じたことで変化する値ではなく、
Ｉ　前記表示手段は、前記状態変更が行われた場合に、第一の表示内容で前記第一の表示を表示する手段であり、
Ｊ　前記表示手段は、電断復電があった場合に、前記第一の表示内容で前記第一の表示を表示する手段であり、
Ｋ　前記第一の表示内容は、前記カウント手段におけるカウント値が前記或る値であることを表す表示内容であり、
Ｌ　電断復電が行われた後において遊技の結果が或る結果（以下、「第二の結果」という。）となった場合に、前記カウント手段におけるカウント値とは異なる表示内容の表示である前記第一の表示が表示される場合がある、
Ｑ　ことを特徴とする遊技台。」
　
２　拒絶の理由
　原査定の拒絶の理由の概要は、
１　この出願の請求項１−４に係る発明は、その出願前に日本国内又は外国において、頒布された下記の引用文献に記載された発明又は電気通信回線を通じて公衆に利用可能となった発明であるから、特許法第２９条第１項第３号に該当し、特許を受けることができず、
２　この出願の請求項１−４に係る発明は、その出願前に日本国内又は外国において、頒布された下記の引用文献に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、
というものである。
　
　特開２０１６−２２０１３号公報
（上記「２　独立特許要件について」「（２）　引用文献に記載された事項」にて示した引用文献と同じ）
　
３　引用文献に記載された事項　
　これに対して、原査定の拒絶の理由に引用された上記引用文献の記載事項及び引用発明については、上記第２　「２　独立特許要件について」「（２）　引用文献に記載された事項」に示したとおりである。　
　
４　対比
　本願発明は、本願補正発明の「表示手段」についての、
「前記第一の場合があった後に或る条件が成立した場合に、第二の表示内容で前記第一の表示を表示する手段であり、
　前記第二の表示内容は、前記カウント手段におけるカウント値を表す表示内容であり、
　前記第一の場合があってから前記或る条件が成立するまでの間に前記カウント手段のカウント値が変化する場合（以下、「第二の場合」という。）があり、
　前記第二の場合に、前記第一の表示の表示内容が変化する場合がある」との限定を外し、それに伴い「電断復電があった場合」について「第一の場合」との定義を外したものである。
　
　そうすると、本願補正発明は引用発明であり、また本願補正発明は当業者が引用発明に基づいて容易に発明をすることができたものであるのだから、本願補正発明から構成の一部を外した本願発明もまた引用発明であり、また当業者が引用発明に基づいて容易に発明をすることができたものである。
　
５　むすび　
　以上のとおりであるから、本願発明は引用発明であるから特許法第２９条第１項第３号に該当し、また本願発明は当業者が引用発明に基づいて容易に発明をすることができたものであるから、特許法第２９条第２項の規定により特許を受けることができない。
　したがって、他の請求項について検討するまでもなく、本願は拒絶されるべきものである。
　
　よって、結論のとおり審決する。